(57)【要約】【課題】確認作業の流れの中で作業を行う者の疲労度を評価することができる情報処理装置及びプログラムを提供する。【解決手段】情報処理装置１は、読み取られた画像において認識された文字の認識結果のうち一部の文字を他の文字に置き換えた文字列を含む確認画面２０を提示する提示手段３０４と、確認画面２０に含まれる文字列を確認したことを受け付けることが可能な受付手段３０５とを備える。【選択図】図４
2020047195.tif 000002
【特許請求の範囲】
【請求項１】
読み取られた画像において認識された文字の認識結果のうち一部の文字を他の文字に置き換えた文字列を含む確認画面を提示する提示手段と、
前記確認画面に含まれる前記文字列を確認したことを受け付けることが可能な受付手段と、
を備えた情報処理装置。
【請求項２】
前記画像から抽出された領域に対して文字の認識を行い、複数の候補文字とともに文字の確からしさを示す確信度を出力する文字認識手段と、
前記一部の文字を前記確信度のより小さい前記候補文字に置き換える置換手段と、
をさらに備えた請求項１に記載の情報処理装置。
【請求項３】
前記置換手段は、認識された前記文字のうち前記確信度が第１の閾値以上の文字を前記候補文字に置き換える、
請求項２に記載の情報処理装置。
【請求項４】
前記置換手段は、前記確信度が第２の閾値以上の候補文字に置き換える、
請求項３に記載の情報処理装置。
【請求項５】
前記確認の有無、前記確信度の下げ幅、置換え後の文字、及び置換え前の文字を含む項目について前記確認を行う者ごとに集計処理を行う集計手段、
をさらに備えた請求項２から４のいずれか１項に記載の情報処理装置。
【請求項６】
前記提示手段は、前記集計処理の結果に応じた対処方法を提示する、
請求項５に記載の情報処理装置。
【請求項７】
前記対処方法は、休憩を促す情報である、
請求項６に記載の情報処理装置。
【請求項８】
前記対処方法は、複数の者による確認を促す情報である、
請求項６に記載の情報処理装置。
【請求項９】
予め定められたタイミングで、
前記置換手段は、前記候補文字に置き換え、
前記提示手段は、前記確認画面を提示し、
前記受付手段は、前記確認を受け付け可能とする、
請求項１から８のいずれか１項に記載の情報処理装置。
【請求項１０】
前記予め定められたタイミングは、確認する作業を開始後、予め定められた時間が経過したときである、
請求項９に記載の情報処理装置。
【請求項１１】
前記予め定められたタイミングとして、複数の異なるタイミングごとに、
前記置換手段は、確信度を下げる幅を変えて前記候補文字に置き換え、
前記提示手段は、前記確認画面を提示し、
前記受付手段は、前記確認を受け付け可能とする、
請求項９に記載の情報処理装置。
【請求項１２】
前記異なるタイミングで変えた確信度の平均よりも低い方の確信度で前記確認がなかった場合、前記提示手段は、対処方法を提示する、
請求項１１に記載の情報処理装置。
【請求項１３】
コンピュータを、
読み取られた画像において認識された文字の認識結果のうち一部の文字を他の文字に置き換えた文字列を含む確認画面を提示する提示手段と、
前記確認画面に含まれる前記文字列を確認したことを受け付けることが可能な受付手段、
として機能させるためのプログラム。
【発明の詳細な説明】
【技術分野】
【０００１】
本発明は、情報処理装置及びプログラムに関する。
【背景技術】
【０００２】
近年、作業者の疲労度を作業者以外の第三者が管理することができる疲労度管理システムが提案されている（例えば、特許文献１参照。）。
【０００３】
特許文献１に記載された疲労度管理システムは、端末を用いて入力作業をする作業者の疲労度を管理する疲労度管理システムであって、作業者が作業に使用する第１端末と、作業者以外の者が使用する第２端末と、第１端末及び第２端末と通信可能な管理サーバとを備え、第１端末は、所定の単位期間の間に作業者が第１端末を用いて入力作業をしたことによる当該作業者の疲労度を求めるための作業情報（例えば、作業者の入力作業による入力確定文字数及び削除文字数）を、所定の単位時間ごとに順次取得して管理サーバに送信する制御部を備え、管理サーバは、第１端末から送信される作業情報を蓄積する記憶部と、記憶部に蓄積された作業情報に基づいて、作業者の疲労度を演算し、評価する評価部と、評価部の評価に応じて、第１端末の評価結果を第２端末に出力させるための第１の出力命令を当該第２端末に送信する送信部と、を備える。
【先行技術文献】
【特許文献】
【０００４】
【特許文献１】特開２０１３−１９０９１４号公報
【発明の概要】
【発明が解決しようとする課題】
【０００５】
確認作業を行う者に疲労度をテストしていることが分かると、身構えて本来の疲労度が評価できないおそれがある。
【０００６】
本発明の課題は、確認作業の流れの中で確認作業を行う者の疲労度を評価することができる情報処理装置及びプログラムを提供することにある。
【課題を解決するための手段】
【０００７】
［１］読み取られた画像において認識された文字の認識結果のうち一部の文字を他の文字に置き換えた文字列を含む確認画面を提示する提示手段と、
前記確認画面に含まれる前記文字列を確認したことを受け付けることが可能な受付手段と、を備えた情報処理装置。
［２］前記画像から抽出された領域に対して文字の認識を行い、複数の候補文字とともに文字の確からしさを示す確信度を出力する文字認識手段と、
前記一部の文字を前記確信度のより小さい前記候補文字に置き換える置換手段と、をさらに備えた前記［１］に記載の情報処理装置。
［３］前記置換手段は、認識された前記文字のうち前記確信度が第１の閾値以上の文字を前記候補文字に置き換える、前記［２］に記載の情報処理装置。
［４］前記置換手段は、前記確信度が第２の閾値以上の候補文字に置き換える、前記［３］に記載の情報処理装置。
［５］前記確認の有無、前記確信度の下げ幅、置換え後の文字、及び置換え前の文字を含む項目について前記確認を行う者ごとに集計処理を行う集計手段、をさらに備えた前記［２］から［４］のいずれか１つに記載の情報処理装置。
［６］前記提示手段は、前記集計処理の結果に応じた対処方法を提示する、前記［５］に記載の情報処理装置。
［７］前記対処方法は、休憩を促す情報である、前記［６］に記載の情報処理装置。
［８］前記対処方法は、複数の者による確認を促す情報である、前記［６］に記載の情報処理装置。
［９］予め定められたタイミングで、
前記置換手段は、前記候補文字に置き換え、
前記提示手段は、前記確認画面を提示し、
前記受付手段は、前記確認を受け付け可能とする、前記［１］から［８］のいずれか１つに記載の情報処理装置。
［１０］前記予め定められたタイミングは、確認する作業を開始後、予め定められた時間が経過したときである、前記［９］に記載の情報処理装置。
［１１］前記予め定められたタイミングとして、複数の異なるタイミングごとに、
前記置換手段は、確信度を下げる幅を変えて前記候補文字に置き換え、
前記提示手段は、前記確認画面を提示し、
前記受付手段は、前記確認を受け付け可能とする、前記［９］に記載の情報処理装置。
［１２］前記異なるタイミングで変えた確信度の平均よりも低い方の確信度で前記確認がなかった場合、前記提示手段は、対処方法を提示する、前記［１１］に記載の情報処理装置。
［１３］コンピュータを、読み取られた画像において認識された文字の認識結果のうち一部の文字を他の文字に置き換えた文字列を含む確認画面を提示する提示手段と、
前記確認画面に含まれる前記文字列を確認したことを受け付けることが可能な受付手段、として機能させるためのプログラム。
【発明の効果】
【０００８】
請求項１、１３に係る発明によれば、確認作業の流れの中で作業を行う者の疲労度を評価することができる。
請求項２に係る発明によれば、他の文字に置き換える際に文字の認識結果を利用することができる。
請求項３、４、１１に係る発明によれば、テストを行っていることが確認作業を行う者に知られにくくなる。
請求項５に係る発明によれば、確認を行う者ごとや確認を行う者全体の確認ミスの傾向を知ることができる。
請求項６〜８、１２に係る発明によれば、対処方法を提示しない場合と比較して確認ミスを減らすことができる。
請求項９、１０に係る発明によれば、疲労してくるタイミングで疲労度を評価することができる。
【図面の簡単な説明】
【０００９】
【図１】図１は、本発明の実施の形態に係る情報処理システムの構成例を示すブロック図である。
【図２】図２は、帳票の一例を示す図である。
【図３】図３は、認識結果テーブルの一例を示す図である。
【図４】図４（ａ）は、文字の置換え前の確認画面の一例を示す図、図４（ｂ）は、文字の置換え後の確認画面の一例を示す図である。
【図５】図５は、休憩を促すポップアップ画面を表示した確認画面の一例を示す図である。
【図６】図６は、管理者設定画面の一例を示す図である。
【図７】図７は、見逃し情報テーブルの一例を示す図である。
【図８】図８は、情報処理システムの動作の一例を示すフローチャートである。
【発明を実施するための形態】
【００１０】
以下、本発明の実施の形態について図面を参照して説明する。なお、各図中、実質的に同一の機能を有する構成要素については、同一の符号を付してその重複した説明を省略する。
【００１１】
［実施の形態の要約］
本実施の形態に係る情報処理装置は、読み取られた画像において認識された文字の認識結果のうち一部の文字を他の文字に置き換えた文字列を含む確認画面を提示する提示手段と、確認画面に含まれる文字列を確認したことを受け付けることが可能な受付手段とを備える。
【００１２】
文字の認識とは、読取対象の画像に含まれる手書きや活字による文字パターンをＪＩＳコード等の文字コードに変換する処理をいう。読取対象は、例えば、帳票等の紙文書である。認識結果のうち一部の文字を、確信度を下げた他の文字に置き換えてもよい。確信度は、文字の確からしさを示す指標のことである。確信度として、例えば、認識対象の文字パターンをベクトルに変換し、文字認識結果の文字コードに対応する標準パターンをベクトルに変換し、両者のベクトル間の距離（例えば、ユークリッド距離等）や類似度（例えば、コサイン類似度等）等で表した指標を用いてもよい。確認画面の提示には、端末装置に確認画面を送信し端末装置に表示する態様や、自己が有する表示部に確認画面を表示する態様等が含まれる。確認は、確信度が一定の範囲の場合の確認でもよく、文字列に誤りがあった場合の確認でもよく、文字列に誤りがなかった場合の確認でもよい。
【００１３】
［実施の形態］
図１は、本発明の実施の形態に係る情報処理システムの構成例を示すブロック図である。この情報処理システム１は、帳票１０（図２参照）から画像を読み取る読取装置２と、読取装置２により読み取られた画像（以下「読取画像」ともいう。）を受信し、帳票１０に記入された文字を認識する情報処理装置３と、情報処理装置３による認識結果に対して確認及び訂正を行う作業者用の端末装置４Ａと、管理者用の端末装置４Ｂとを備える。帳票１０は、読取対象の一例である。作業者は、確認を行う者の一例である。
【００１４】
読取装置２は、帳票１０を光学的に走査して帳票１０の画像を読み取るスキャナと、スキャナによる読取画像を情報処理装置３に送信する送信部とを備える。
【００１５】
端末装置４Ａ、４Ｂは、タッチパネル等で実現される表示部と、キーボード、マウス等で実現される入力部と、ＣＰＵ（Central Processing Unit）、インターフェース等で実現される制御部と、プログラムやデータ等を記憶する記憶部等で構成される。端末装置４Ａ、４Ｂは、例えば、パーソナルコンピュータや、タブレット型端末、多機能携帯電話機（スマートフォン）等の携帯情報端末を用いることができる。端末装置４Ａは、情報処理装置３から送信された確認画面２０（図４等参照）に含まれる文字列に対して確認し、確認内容（訂正した場合は訂正内容を含む。）を情報処理装置３に送信する。
【００１６】
（情報処理装置の構成）
情報処理装置３は、この装置３の各部を制御する制御部３０と、各種の情報を記憶する記憶部３１とを備える。
【００１７】
制御部３０は、ＣＰＵ（Central Processing Unit）、インターフェース等から構成されている。ＣＰＵは、記憶部３１に記憶されたプログラム３１１に従って動作することにより、設定手段３００、領域抽出手段３０１、文字認識手段３０２、文字置換手段３０３、提示手段３０４、受付手段３０５、集計手段３０６等として機能する。これらの手段３００〜３０６については後述する。文字置換手段３０３は、置換手段の一例である。
【００１８】
記憶部３１は、ＲＯＭ（Read Only Memory）、ＲＡＭ（Random Access Memory）、ハードディスク等から構成される。記憶部３１は、プログラム３１１、認識結果テーブル３１２（図３参照）、見逃し情報テーブル３１３（図７参照）、文字認識辞書３１４、設定情報３１５（図６参照）等の各種情報を記憶する。
【００１９】
認識結果テーブル３１２は、読取装置２から送信された読取画像のうち領域抽出手段３０１により抽出された画像（以下「抽出画像」ともいう。）に対して文字認識手段３０２が文字認識処理を行って得られた認識結果、及び文字認識手段３０２により文字ごとに求められた確信度が、文字認識手段３０２により帳票１０の種類（例えば、申請書、納品書等）を識別する帳票ＩＤ、帳票１０を特定する帳票管理番号、及び項目を識別する項目ＩＤに関連付けて記録されるものである。
【００２０】
見逃し情報テーブル３１３は、作業者による確認作業が終わった後、集計手段３０６によって集計されて記録されるものである。
【００２１】
文字認識辞書３１４は、例えば、ＪＩＳコード等の文字コードごとに標準パターンが格納されたものである。
【００２２】
設定情報３１５は、管理者設定画面５０（図６参照）で設定された設定内容が、設定手段３００により管理者を識別するユーザＩＤごとに記憶部３１に記憶されるものである。
【００２３】
図２は、帳票１０の一例を示す図である。帳票１０は、申請日、氏名または団体名、郵便番号、住所、希望欄等の複数の項目１１ａ〜１１ｅ（これらを総称するときは、以下「項目１１」ともいう。）を有し、項目１１ごとに手書きで記入される記入欄１２ａ〜１２ｇ（これらを総称するときは、以下「記入欄１２」ともいう。）が設けられている。帳票１０は、予め帳票ＩＤごとに記入欄１２の位置が定められている。希望欄の項目１１ｅは、複数行に渡って記入できる領域を有している。帳票１０には、右上に帳票ＩＤ（例えば、Ｔ００１）、及び帳票管理番号（例えば、１２３４５）が記録されている。
【００２４】
図３は、認識結果テーブル３１２の一例を示す図である。認識結果テーブル３１２は、帳票ＩＤ、帳票管理番号、及び項目ＩＤごとに設けられている。同図に示す認識結果テーブル３１２は、氏名または団体名の項目１１ｂの富士太郎の文字パターンを含む抽出画像に対する認識結果を示すものである。文字ごとに確信度が高い順に第１候補、第２候補、第３候補、・・・第ｎ候補の認識結果及び確信度（かっこ内に示す。）が記録されている。各候補は、候補文字の一例である。
【００２５】
図４は、確認画面２０の一例を示す図である。確認画面２０は、提示手段３０４により提示されるものであり、「氏名または団体名」、「郵便番号」、「住所」の各設問名２１ａ、２１ｂ、２１ｃ（これらを総称するときは、以下「設問名２１」ともいう。）と、設問名２１ごとに上段に設けられ、抽出画像を表示する抽出画像表示部２２ａ、２２ｂ、２２ｃ（これらを総称するときは以下「抽出画像表示部２２」ともいう。）と、設問名２１ごとに下段に設けられ、認識結果を表示する認識結果表示部２３ａ、２３ｂ、２３ｃ（これらを総称するときは以下「認識結果表示部２３」ともいう。）と、設問名２１ごとに設けられ、認識結果の文字列のうち最小の確信度を表示する確信度表示部２４ａ、２４ｂ、２４ｃ（これらを総称するときは、以下「確信度表示部２４」ともいう。）と、作業者が認識結果表示部２３に表示された認識結果を確認したときにチェックするチェックボックス２５ａ、２５ｂ、２５ｃ（これらを総称するときは、以下「チェックボックス２５」ともいう。）とを有する。
【００２６】
確信度表示部２４は、確信度が、例えば、小数点以下は切り捨てられて表示される。確信度表示部２４は、確信度に応じた色で背景が表示されるようになっている。例えば、確信度が９９％以上は緑色、確信度が９０％以上９９％未満は黄色、確信度が９０％未満は赤色の背景色となる。確信度表示部２４の背景の色により確信度の高低が大よそ分かるため、確認作業を行いやすくなる。
【００２７】
チェックボックス２５は、本実施の形態では、確信度表示部２４の背景の色が黄色と赤色については、認識結果の正誤に依らず確認したことを示す意味でチェックされる。また、認識結果表示部２３に表示された認識結果に誤りがあった場合には、文字が訂正され、認識結果表示部２３に訂正後の文字が反映される。受付手段３０５は、チェックボックス２５のチェック結果と文字の訂正内容を受け付ける。なお、チェックボックス２５は、確信度表示部２４の背景の色に依らず、認識結果に誤りがあった場合にチェックするようにしてもよい。
【００２８】
図４（ａ）は、文字置換手段３０３による文字の置換え前を示し、図４（ｂ）は、文字置換手段３０３による文字の置換え後を示す。文字の置換え前は、図４（ａ）に示すように、氏名または団体名の設問名２１ａでは、認識結果表示部２３ａで正しい認識結果の「富士太郎」となり、確信度表示部２４ａの確信度は９９％、背景の色は緑色になっている。郵便番号の設問名２１ｂでは、認識結果表示部２３ｂで正しく認識されているが、確信度表示部２４ｂの確信度９０％、背景の色は黄色になっている。住所の設問名２４ｃでは、認識結果表示部２３ｃで正しく認識されているが、確信度表示部２４ｃの確信度は７５％、背景の色は赤色になっている。
【００２９】
文字の置換え後は、図４（ｂ）に示すように、文字置換手段３０３は、「郎」（図３に示す第１候補）の文字の確信度を小さくした「朗」（図３に示す第２候補）に置き換えて文字列「富士太朗」とする。この場合、確信度表示部２４ａの確信度は９４％、背景の色は黄色になる。
【００３０】
作業者は、確信度表示部２４ａ、２４ｂ、２４ｃの背景の色が黄色又は赤色になっていることに気が付いた場合、チェックボックス２５ａ、２５ｂ、２５ｃをチェックし、さらに認識結果表示部２３ａ、２３ｂ、２３ｃに表示された認識結果に誤りがあることに気が付いた場合、誤った文字を訂正する。作業者の疲労度が上がってくると、例えば、作業者は「氏名または団体名」の設問名２１ａの確信度表示部２４ａの背景の色が黄色になっていることに気が付かず、認識結果表示部２３ａの誤った文字にも気が付かずにチェックボックス２５ａをチェックせずに確認作業を終了する場合がある。
【００３１】
図５は、休憩を促すポップアップ画面を表示した確認画面の一例を示す図である。確認画面２０には、「疲労度があがっています  休憩を取ることをお勧めします」のようなメッセージを含むポップアップ画面２６を表示している。ポップアップ画面２６は、作業者が使用する端末装置４Ａに表示されるが、管理者が使用する端末装置４Ｂに作業者のユーザＩＤ及び作業者名とともに表示して当該作業者が疲労していることを通知してもよい。ポップアップ画面２６は、休憩を促す情報の一例である。
【００３２】
図６は、管理者設定画面の一例を示す図である。管理者設定画面５０は、疲労度チェックデータ混入、疲労度チェックデータ頻度、疲労度チェック開始時間（作業開始）から、文字傾向モード（作業開始から）の各項目５１ａ〜５１ｄを有し、各項目５１ａ〜５１ｄの選択枝を選択するためのラジオボタン５２が設けられている。管理者設定画面５０による設定内容は、例えば、帳票ＩＤに対応付けて設定情報３１５として記憶部３１に記憶される。
【００３３】
項目５１ａについて、疲労度チェックデータ混入を行う場合は、「あり」を選択し、行わない場合は、「なし」を選択する。項目５１ｂの疲労度チェックデータ頻度について、「自動」又は「自動」以外を選択し、「自動」以外を選択した場合、頻度を入力する。項目５１ｃの疲労度チェック開始時間について、「開始直後から」、「時間後から」、又は「自動」を選択する。「時間後から」を選択した場合は、時間を入力する。項目５１ｄの文字傾向モードについて、「傾向なし」、「担当者の傾向を学習」、又は「全体的な傾向を学習」を選択する。「担当者の傾向を学習」は、作業者ごとに確認ミスの傾向を学習することである。「全体的な傾向を学習」は、作業者全体の確認ミスの傾向を学習することである。
【００３４】
図７は、見逃し情報テーブル３１３の一例を示す図である。見逃し情報テーブル３１３は、作業者ＩＤ、いつ、どこ、休憩時間、作業時間、確信度、結果、文字列、変更、正解等の各項目を有する。作業者ＩＤには、作業者ＩＤが記録される。いつには、作業日（年月日）が記録される。どこには、作業場所が記録される。休憩時間には、一日のうち休憩した時間の合計が記録される。作業時間には、連続して作業を行った時間が記録される。確信度には、チェックすべき場合にチェックされなかったときの確信度が記録される。結果には、チェックすべき場合にチェックされたときは「ＴＲＵＥ」が記録され、チェックすべき場合にチェックされなかったときは「ＦＡＬＳＥ」が記録される。変更には、認識結果のうち置換え後の文字が記録され、正解には、認識結果のうち置換え前の文字が記録される。例えば、どこの項目でＡ１０席の確認ミスが多い傾向にある場合、場所の環境に問題があることが推察される。
【００３５】
見逃し情報テーブル３１３の活用例としては、次のものが考えられる。例えば、見逃しが増加・減少する作業期間、見逃しが多い・少ない時間帯、見逃しが多い・少ない環境（例えば、席等の場所、明るさ、温度、湿度、周りの音、コミュニケーションの多さ等）、休憩と見逃しの関連性、休憩期間と見逃しの関連性、休憩回数を見逃しの関連性、見逃し易い文字の傾向（例えば、部首が似ている、読みが同じ、形が似ている、複雑さ、密度、文字種（数字／漢字など）、出現頻度、一般／固有名詞等）、見逃し易い確信度、見逃し易い位置（例えば、表示画面の上下左右中心、文字列内の位置、文字列の長さ等）、上記のような項目の作業者全体での傾向、上記のような項目の個人での傾向、上記の組み合わせでの傾向等が考えられる。
【００３６】
次に、制御部３０の各手段３００〜３０６について説明する。
【００３７】
設定手段３００は、図６に示す管理者設定画面５０を管理者用の端末装置４Ｂに提示して管理者により設定された設定内容を帳票ＩＤに対応付けて設定情報３１５として記憶部３１に記憶する。
【００３８】
領域抽出手段３０１は、読取装置２から送信された読取画像から記入欄１２（図２参照）の内側の領域を抽出画像として抽出し、抽出画像を項目ＩＤごとに文字認識手段３０２に出力する。
【００３９】
文字認識手段３０２は、抽出画像について文字の認識を行うとともに、文字の確からしさを示す確信度を出力する文字認識処理を行う。すなわち、文字認識手段３０２は、例えば、抽出画像に含まれる文字パターンをベクトルに変換し、文字認識辞書３１４に格納された標準パターンをベクトルに変換し、両者のベクトル間の類似度を確信度として算出し、文字パターンを類似度が最大の文字コードに変換する。類似度としては、例えば、コサイン類似度を用いる。文字コードは、認識結果の一例である。文字認識手段３０２は、認識結果として複数の候補文字（第１候補から第ｎ候補）とともに確信度を出力し、帳票ＩＤ、帳票管理番号、及び項目ＩＤに関連付けて認識結果テーブル３１２（図３参照）として記憶部３１に記憶する。
【００４０】
文字置換手段３０３は、設定情報３１５を参照し、帳票ＩＤに対して疲労度チェックデータ混入の項目５１ａに対して「あり」が設定されている場合は、文字認識手段３０２が認識した文字列のうち一部の文字を確信度のより小さい候補文字に置き換える置換処理を行う。この置換処理では、認識された文字列のうち確信度が第１の閾値（例えば、９９％）以上の文字を確信度が第２の閾値（例えば、９０％）以上の候補文字に置き換える。なお、文字置換手段３０３は、文字認識手段３０２が過去に誤った認識結果をデータベースに蓄積しておき、そのデータベースから抽出した文字に置き換えてもよい。
【００４１】
提示手段３０４は、読み取られた画像において認識された文字の認識結果のうち一部の文字が文字置換手段３０３により他の文字に置き換えられた場合は、置換え後の文字列を含む確認画面２０を、文字置換手段３０３により文字の置き換えがなかった場合は、文字認識手段３０２による認識結果の文字列を含む確認画面２０を端末装置４Ａに送信する。また、提示手段３０４は、集計手段３０６による集計処理の結果に応じた対処方法を提示してもよい。対処方法には、例えば、休憩を促す情報（図５参照）、複数の者による確認を促す情報等がある。複数の者による確認としては、例えば、複数の者が同じ認識結果を同時に確認してもよく、同じ認識結果をある者が確認し、それを他の者が確認してもよい。
【００４２】
受付手段３０５は、確認画面２０（図４参照）にチェックボックス２５のチェック結果と文字の訂正内容を受け付ける。なお、受付手段３０５は、文字置換手段３０２が文字を置き換えた場合、これに対する訂正は受け付けずに無視してもよい。
【００４３】
集計手段３０６は、確認の有無、確信度の下げ幅、置換え後の文字、及び置換え前の文字を含む項目について作業者ごとに集計処理を行い、図７に示す見逃し情報テーブル３１３に記録する。集計手段３０６は、集計処理の結果に基づいて作業者ごとに疲労度や確認ミスの傾向を求めてもよい。また、集計手段３０６は、作業者全体に対して確認ミスの傾向を求めてもよい。疲労度としては、例えば、確認すべき数に対する確認を行った数を段階的に評価値で表現したものを用いてもよい。
【００４４】
予め定められたタイミングで、文字置換手段３０３は、候補文字への置き換え、提示手段３０４は、文字が置き換えられた確認画面２０を提示し、受付手段３０５は、確認を受け付け可能としてもよい。予め定められたタイミングは、例えば、確認する作業を開始後、予め定められた時間（例えば、２時間）が経過したときとしてもよい。
【００４５】
また、予め定められたタイミングとして、複数の異なるタイミングごとに、文字置換手段３０３は、確信度を下げる幅を変えて候補文字に置き換え、提示手段３０４は、文字が置き換えられた確認画面２０を提示し、受付手段３０５は、確認を受け付け可能としてもよい。異なるタイミングで変えた確信度の平均よりも低い方の確信度で確認がなかった場合、提示手段３０４は、対処方法を提示してもよい。
【００４６】
（実施の形態の動作）
次に、情報処理システム１の動作の一例について図８を参照して説明する。図８は、情報処理システム１の動作の一例を示すフローチャートである。なお、以下の動作では、管理者設定画面５０において、疲労度チェックデータ混入の項目５１ａに対して「あり」が選択され、疲労度チェックデータ頻度の項目５１ｂに対して「自動」が選択され、疲労度チェック開始時間（作業開始）からの項目５１ｃに対して「２」時間後からが選択され、文字傾向モード（作業開始から）の項目５１ｄに対して「傾向なし」が選択されたものとして説明する。
【００４７】
文字置換手段３０３は、設定情報３１５を参照し、作業開始から予め定められた時間（例えば、２時間）が経過したか否かを判断する（Ｓ１）。
【００４８】
予め定められた時間が経過すると（Ｓ１：Ｙｅｓ）、当該項目の確信度は第１の閾値（例えば、９９％）以上か否かを判断する（Ｓ２）。項目は最初の項目ＩＤから開始する。
【００４９】
確信度が第１の閾値以上の場合（Ｓ２：Ｙｅｓ）、文字置換手段３０３は、確信度が第２の閾値（例えば、９０％）以上の置換え文字が存在するか否かを認識結果テーブル３１２を参照して判断する（Ｓ３）。図３に示す場合は、第１候補の「郎」の確信度が９９％であるので、第１の閾値（例えば、９９％）以上を満たす。また、第１候補の「郎」の次の候補である第２候補の「朗」の確信度が９４％であるので、第２の閾値（例えば、９０％）以上を満たす。
【００５０】
確信度が第２の閾値以上の置換え文字が存在する場合（Ｓ３：Ｙｅｓ）、文字置換手段３０３は、認識結果の「郎」を置換え文字の「朗」に置き換える。提示手段３０４は、文字置換手段３０３によって文字が置き換えられた確認画面２０を端末装置４Ａに送信する。端末装置４Ａに図４（ｂ）に示す確認画面２０が表示される（Ｓ４）。
【００５１】
図４（ｂ）に示すように、確認画面２０では、抽出画像表示部２２ａの「富士太郎」に対して「郎」の文字が「朗」に置き換えられている。
【００５２】
端末装置４Ａは、確認画面２０に対する処理結果を情報処理装置３に送信する。
【００５３】
集計手段３０６は、確認画面２０に対する処理結果に基づいて、氏名または団体名の設問名２１ａがチェックされたか否かを判断する（Ｓ５）。当該設問名２１ａがチェックされた場合は（Ｓ５：Ｙｅｓ）、結果をＴＲＵＥとして見逃し情報テーブル３１３に記録する（Ｓ６）。当該設問名２１ａがチェックされなかった場合は（Ｓ５：Ｎｏ）、結果をＦＡＬＳＥとして図７に示すように見逃し情報テーブル３１３に記録する（Ｓ７）。
【００５４】
上記ステップＳ２において当該項目の確信度が第１の閾値以上でなかった場合や（Ｓ２：Ｎｏ）、上記ステップＳ３において確信度が第２の閾値以上の置換え文字が存在しなかった場合は（Ｓ３：Ｎｏ）、他の項目があるか否かを判断し（Ｓ８）、他の項目があれば（Ｓ８：Ｙｅｓ）、他の項目についても前述したのと同様の処理を行う（Ｓ２〜Ｓ７）。
【００５５】
他の項目がない場合（Ｓ８：Ｎｏ）、次の帳票があるか否かを判断し（Ｓ９）、次の帳票があれば（Ｓ９：Ｙｅｓ）、次の帳票についても前述したのと同様の処理を行う（Ｓ２〜Ｓ７）。以上のようにして作業開始から予め定められた時間が経過すると、通常は少なくとも１回疲労度の確認が行われることになる。なお、上記ステップＳ８及びＳ９は、管理者設定画面５０に対する設定内容によっては省略される。
【００５６】
以上、本発明の実施の形態を説明したが、本発明の実施の形態は上記実施の形態に限定されるものではなく、本発明の要旨を変更しない範囲内で種々の変形、実施が可能である。例えば、上記実施の形態では、端末装置４Ａに確認画面２０を表示したが、情報処理装置３に入力部及び表示部を設け、その表示部に確認画面２０を表示して確認を受け付けてもよい。また、上記実施の形態では、情報処理装置３に作業者用として１つの端末装置４Ａを接続したが、ネットワークを介して複数の端末装置４Ａを接続してもよい。
【００５７】
制御部３０の各手段は、それぞれ一部又は全部を再構成可能回路（ＦＰＧＡ：Field Programmable Gate Array）、特定用途向け集積回路（ＡＳＩＣ：Application Specific Integrated Circuit）等のハードウエア回路によって構成してもよい。
【００５８】
また、本発明の要旨を変更しない範囲内で、上記実施の形態の構成要素の一部を省くことや変更することが可能である。例えば、上記実施の形態では、領域抽出手段３０１及び文字認識手段３０２は、情報処理装置３に設けられているが、領域抽出手段３０１及び文字認識手段３０２の一方又は両方が情報処理装置３の外部に設けられていてもよい。
【００５９】
また、本発明の要旨を変更しない範囲内で、上記実施の形態のフローにおいて、ステップの追加、削除、変更、入替え等が可能である。また、上記実施の形態で用いたプログラムをＣＤ−ＲＯＭ等のコンピュータで読み取り可能な記録媒体に記録して提供することができ、クラウドサーバ等の外部サーバに格納しておき、ネットワークを介して利用することもできる。
【符号の説明】
【００６０】
１…情報処理システム、２…読取装置、３…情報処理装置、４Ａ、４Ｂ…端末装置、１０…帳票、１１、１１ａ-１１ｅ…項目、１２、１２ａ-１２ｇ…記入欄、２０…確認画面、２１、２１ａ-２１ｃ…設問名、２２、２２ａ-２２ｃ…抽出画像表示部、２３、２３ａ-２３ｃ…認識結果表示部、２４、２４ａ-２４ｃ…確信度表示部、２５、２５ａ-２５ｃ…チェックボックス、２６…ポップアップ画面、３０…制御部、３１…記憶部、５０…管理者設定画面、５１ａ-５１ｄ…項目、５２…ラジオボタン、３００…設定手段、３０１…領域抽出手段、３０２…文字認識手段、３０３…文字置換手段、３０４…提示手段、３０５…受付手段、３０６…集計手段、３１１…プログラム、３１２…認識結果テーブル、３１３…見逃し情報テーブル、３１４…文字認識辞書、３１５…設定情報
【図１】
2020047195.tif 000003
【図２】
2020047195.tif 000004
【図３】
2020047195.tif 000005
【図４】
2020047195.tif 000006
【図５】
2020047195.tif 000007
【図６】
2020047195.tif 000008
【図７】
2020047195.tif 000009
【図８】
2020047195.tif 000010